(57)【要約】【課題】簡単に持ち運びができ、人体や環境に悪影響を及ぼすことなく屋内外問わずどこにでも設置可能で、且つ、熱効率が良く、長時間に亘り使用することができるとともに、駆除率の高い蚊取り器を提供する。【解決手段】蚊を誘引して捕獲し、駆除する蚊取り器１において、側面に蚊の入り口となる開口部を有する筐体２と、この筐体２の底面に設けられた熱源４と、この熱源４の直上に設けられた粘着手段５と、この粘着手段５の上方に設けられ、二酸化炭素を発生させる炭酸ガス発生手段３と、を備える。【選択図】図１
2018038314.tif 000002
【特許請求の範囲】
【請求項１】
蚊を誘引して捕獲し、駆除する蚊取り器であって、
側面に蚊の入り口となる開口部を有する筐体と、
この筐体の底部平面に設けられた熱源と、
この熱源の直上に設けられた粘着手段と、
この粘着手段の上方に設けられ、二酸化炭素を発生させる炭酸ガス発生手段と、を備えていること
を特徴とする蚊取り器。
【請求項２】
前記熱源は、前記筐体に対して着脱自在に構成された蓄熱材であること
を特徴とする請求項１に記載の蚊取り器。
【請求項３】
前記蓄熱材は、表面温度が３０℃以上５５℃以下の温度範囲を２時間以上維持可能に調整された潜熱蓄熱材であること
を特徴とする請求項２に記載の蚊取り器。
【請求項４】
前記粘着手段は、前記熱源近傍に対して着脱可能に構成された粘着シートであること
を特徴とする請求項１ないし３のいずれかに記載の蚊取り器。
【請求項５】
前記筐体は、円錐又は多角形錘状の屋根を有し、前記炭酸ガス発生手段は、前記屋根の頂部付近下側に設けられていること
を特徴とする請求項１ないし４のいずれかに記載の蚊取り器。
【発明の詳細な説明】
【技術分野】
【０００１】
本発明は、蚊取り器に関し、詳しくは、人体や環境への悪影響がなく場所を選ばず屋外でも屋内でも使用可能な蚊取り器に関する。
【背景技術】
【０００２】
有史以来、蚊を媒介とする感染症による被害は収まらず、従来、蚊を駆除・忌避するための多くの方法が提案されている。特に、近年では、温暖化の影響で亜熱帯化する地域が広がり、日本脳炎、マラリア、ジカ熱、デング熱など蚊を媒介とする感染症がこれまで以上に問題となってきている。このため、屋外や屋内に拘わらず、蚊取り器などにより、確実に蚊を捕獲したり、駆除したりして蚊に刺されないようにする必要性が高まってきている。
【０００３】
蚊を駆除・忌避するための方法としては、例えば、蚊取り線香など、殺虫成分や蚊の嫌がる忌避成分を拡散させて蚊を駆除するか、又は蚊が寄ってこないようにするシールや器具等が知られている。しかし、殺虫成分や忌避成分は、少なからず、人体や環境に悪影響があり、病人や乳幼児がいる場所や蜂などを使って花粉交配を行っている場所など殺虫成分や忌避成分を拡散させることができない場所では、そのような蚊取り器を使用できないという問題があった。
【０００４】
このような問題に対処するべく、例えば、特許文献１には、熱帯、亜熱帯等で病気を媒介する蚊の個体数調査を行う際に、電力や資材を用いず低コストでかつ広範囲にわたる調査ができる蚊の誘引捕集器具を提供することを目的として、発熱体と蚊の誘引物質を有する担体と、内面上に粘着剤層と、炭酸ガス発生源とを、備える蚊の誘引捕集器具が開示されている（特許文献１の請求項１〜５、明細書の段落［００１１］〜［００２８］、図面の図１、図２等参照）。
【０００５】
しかし、特許文献１に記載の蚊の誘引捕集器具は、あくまでも個体数調査を行うための蚊の捕獲器であり、内壁面に粘着剤層があるため、捕獲率が低く蚊の駆除という観点からは、物足りないものであった。また、一定時間の捕獲はできても、長時間に亘り、蚊の誘引物質を拡散したり、発熱を持続したりすることができず、長時間蚊を駆除し続けることができないという問題があった。
【０００６】
また、特許文献２には、蚊を誘引する炭酸ガスを発生する誘引気体発生手段６と、蚊を粘着させる粘着手段５と、発熱させて粘着手段５を加熱することによって蚊を粘着手段５に誘引する発熱手段２と、を備え、誘引気体発生手段６が発生する炭酸ガスによって蚊を誘引し、近付いた蚊を粘着手段５に粘着して取る蚊取器が開示されている（特許文献２の請求項１〜３、明細書の段落［００１５］〜［００２６］、図面の図２等参照）。
【０００７】
しかし、特許文献２に記載された蚊取器は、発熱体が電気で発熱する発熱体２ａであり、電源がないと使用することができないという問題があった。また、炭酸ガスを発生させる発生装置６も、炭酸ボンベから炭酸ガスを発生させるものであり、簡単に持ち運ぶことができないという問題もあった。さらに、粘着テープ５も発熱体２ａの外周側面に設置されているものであり、蚊の駆除率でも、熱効率の面でも効率が悪いという問題があった。
【０００８】
さらに、特許文献３には、蚊１を捕獲する粘着シート２を外面に設けている駆除部３と、この駆除部３を支持する脚４とで形成され、この駆除部３に外からの太陽光を受けて太陽熱を蓄える蓄熱材１２を収容し、この蓄熱材１２の放熱を駆除部３の底板８に伝導し、この底板８の下面に、粘着シート２の粘着面を下向きにして設け、この粘着シート２を蓄熱材１２の放熱で底板８を介して加温可能に形成した太陽熱利用の蚊駆除器が開示されている（特許文献３の請求項１、明細書の段落［００２２］〜［００３７］、図面の図１等参照）。
【０００９】
しかし、特許文献３に記載の蚊駆除器は、太陽光を利用するため、屋内では利用できないだけでなく、雨天や曇天時にも十分に蓄熱することができず、雨天や曇天時には、使用できないという問題があった。また、二酸化炭素を放出しないで熱のみで蚊を誘引することには限界があり、蚊の駆除効率が悪いという問題もあった。さらに、特許文献３に記載の蚊駆除器は、蓄熱材１２の下面に粘着シート２が設置されている構造であり、特許文献２の蚊取器と同様に、蚊の駆除率でも、熱伝達効率の面でも効率が悪いという問題があった。
【先行技術文献】
【特許文献】
【００１０】
【特許文献１】特開平６−４６号公報
【特許文献２】特開平１０−２２９８０１号公報
【特許文献３】特開２０１３−０８１４３６号公報
【発明の概要】
【発明が解決しようとする課題】
【００１１】
そこで、本発明は、前述した問題に鑑みて案出されたものであり、その目的とするところは、簡単に持ち運びができ、人体や環境に悪影響を及ぼすことなく屋内外問わずどこにでも設置可能で、且つ、熱効率が良く、長時間に亘り使用することができるとともに、駆除率の高い蚊取り器を提供することにある。
【課題を解決するための手段】
【００１２】
第１発明に係る蚊取り器は、蚊を誘引して捕獲し、駆除する蚊取り器であって、側面に蚊の入り口となる開口部を有する筐体と、この筐体の底部平面に設けられた熱源と、この熱源の直上に設けられた粘着手段と、この粘着手段の上方に設けられ、二酸化炭素を発生させる炭酸ガス発生手段と、を備えていることを特徴とする。
【００１３】
第２発明に係る蚊取り器は、第１発明において、前記熱源は、前記筐体に対して着脱自在に構成された蓄熱材であることを特徴とする。
【００１４】
第３発明に係る蚊取り器は、第２発明において、前記蓄熱材は、表面温度が３０℃以上５５℃以下の温度範囲を２時間以上維持可能に調整された潜熱蓄熱材であることを特徴とする。
【００１５】
第４発明に係る蚊取り器は、第１発明ないし第３発明のいずれかの発明において、前記粘着手段は、前記熱源近傍に対して着脱可能に構成された粘着シートであることを特徴とする。
【００１６】
第５発明に係る蚊取り器は、第１発明ないし第４発明のいずれかの発明において、前記筐体は、円錐状又は多角錘状の屋根を有し、前記炭酸ガス発生手段は、前記屋根の頂部付近下側に設けられていることを特徴とする。
【発明の効果】
【００１７】
第１発明〜第５発明によれば、蚊取り器の装置全体がコンパクトな筐体内に収容されているので、簡単に持ち運ぶことができる。また、第１発明〜第５発明によれば、二酸化炭素と熱で蚊を誘引するので、電源や大掛かりな装置が必要なく、人体や環境に悪影響を及ぼすことなく屋内外問わずどこにでも設置して蚊を効率よく駆除することができる。さらに、第１発明〜第５発明によれば、熱源の直上に蚊を捕らえる粘着手段が設けられているので、熱効率が良く、長時間に亘り使用することができる。また、筐体の底部平面に粘着手段が設けられているので、蚊を効率良く捕らえることができ駆除率が高くなる。
【００１８】
特に、第２発明によれば、熱源が着脱自在に構成された蓄熱材であるので、さらに持ち運びが容易であり、蓄熱材を加熱するための加熱手段を選ばず、屋内外問わずどこにでも設置することができ、蚊を効率よく駆除することができる。
【００１９】
特に、第３発明によれば、表面温度が３０℃以上５５℃以下の温度範囲を２時間以上維持可能に調整された潜熱蓄熱材であるので、さらに長時間に亘り効率良く蚊を駆除することができる。
【００２０】
特に、第４発明によれば、粘着手段が熱源に対して着脱可能に構成された粘着シートであるので、蚊を捕獲した後の処理が、粘着シートごと廃棄して粘着シートを新しいものと交換するだけなので、後処理が極めて簡単であり、ランニングコストも少なくて済む。
【００２１】
特に、第５発明によれば、炭酸ガス発生手段が円錐状又は多角錘状の屋根の頂部付近下側に設けられているので、効率よく炭酸ガスを、蚊を捕獲する粘着シートに漂わすことができ、蚊の駆除率がさらに向上する。
【図面の簡単な説明】
【００２２】
【図１】本発明の実施形態に係る蚊取り器を示す鉛直断面図である。
【図２】同上の蚊取り器を示す斜視図である。
【発明を実施するための形態】
【００２３】
以下、本発明に係る蚊取り器を実施するための一実施形態について、図面を参照しながら詳細に説明する。
【００２４】
先ず、図１及び図２を用いて、本発明の実施形態に係る蚊取り器について説明する。図１は、本発明の実施形態に係る蚊取り器を示す鉛直断面図であり、図２は、図１の蚊取り器を示す斜視図である。
【００２５】
図１、図２に示すように、本実施形態に係る蚊取り器１は、筐体２と、この筐体２の中央頂部付近に設けられた炭酸ガス発生手段３と、筐体２の底部平面となる水平面に沿って一定面積に亘り設けられた熱源４と、この熱源４の直上に熱源４に沿って略水平に設けられた粘着手段５など、から構成され、蚊を誘引して捕獲し、駆除する機能を有している。
【００２６】
＜筐体＞
筐体２は、図１、図２に示すように、筐体２全体の底部を構成する上下に偏平な矩形箱状の捕獲部２０と、捕獲部２０の四隅の底面から下方に突設された４本の脚２１と、捕獲部２０の四隅の上面（天面）から上方に突設された４本の柱２２と、これらの４本の柱２２の上部に架け渡された屋根２３など、から構成されている。
【００２７】
（捕獲部）
この捕獲部２０は、偏平な矩形箱状の捕獲部本体２０ａから主に構成され、この捕獲部本体２０ａの水平面に沿った上面プレート２０ｂ上に粘着手段５が載置され、主に蚊を捕獲する機能を発揮する。
【００２８】
図１に示すように、この捕獲部本体２０ａの一側面には、開口部２０ｃが形成され、熱源４が出し入れ自在に収容されている。本実施形態に係る捕獲部２０には、引出し部２０ｄが開口部２０ｃから引き出し自在に構成され、指孔２０ｅに指を掛けて引出し部２０ｄを引き出し、この中に収容され熱源４の交換が容易となっている。
【００２９】
勿論のことながら、捕獲部本体２０ａの上面に開口が形成され、上面プレート２０ｂが脱着自在に構成されており、捕獲部本体２０ａの上面の開口から熱源４を交換するようにしてもよいことは云うまでもない。
【００３０】
また、図１に示すように、捕獲部本体２０ａには、熱源４の側面及び底面を囲うように断熱材Ｄが挿置されており、熱源４からの熱が筐体２の底面、即ち、捕獲部本体２０ａの底面及び側面から逃げないようになっている。このため、熱の効率が良く、蚊を誘引する適温を少なくとも２時間以上の長時間に亘り保つことができる。
【００３１】
本実施形態に係る断熱材Ｄとしては、ポリウレタンフォームやポリスチレンフォームなどの発泡樹脂系の断熱材が適用される。但し、本発明に係る断熱材は、グラスウールやロックウールなどの無機系の断熱材や、セルロースファイバー、炭化発泡コルク、羊毛などの天然素材系の断熱材でも構わない。要するに、本発明に係る断熱材は、熱伝達を遅らせて断熱できるものであれば、特に素材等が限定されるものではない。
【００３２】
そして、捕獲部本体２０ａでは、上面プレート２０ｂが熱伝導率の高い金属製のプレートとなっており、図１に示すように、その周りには、上面プレート２０ｂより厚い枠プレート２０ｆが設置されている。この枠プレート２０ｆが設置されていることにより、粘着手段５である後述の粘着シート５０を上面プレート２０ｂ上に載置した際に、粘着シート５０と枠プレート２０ｆの上面が面一となる。なお、半月状の窪み２０ｇは、粘着シート５０を取り替える際の指掛け穴である。
【００３３】
（脚）
脚２１は、図１、図２に示すように、金属製又は樹脂製の円筒状のパイプからなる脚本体２１ａと、その脚本体２１ａの下端（先端）に装着されたキャップ２１ｂなど、から構成されている。キャップ２１ｂは、ゴム製又は樹脂製の部材であり、脚２１の端面の保護と筐体２の全体の滑り止めの機能を有している。勿論、脚２１の形状や本数等は、適宜設定すればよく、脚２１自体が全部なくても蚊取り器１の蚊を取る機能には殆ど影響がない。しかし、脚２１を設けることにより、土の地面上などの不陸の大きい場所に設置する場合は、一部の脚２１を地面に差し込むことで筐体２の水平をとり易くなる。
【００３４】
（柱）
柱２２も、脚２１と同様に、図１、図２に示すように、金属製又は樹脂製の円筒状のパイプからなる柱本体２２ａと、この柱本体２２ａの上端（先端）に装着された屋根２３の形状に応じた金属製又は樹脂製の接続部２２ｂなど、から構成されている。勿論、この柱は、角形の柱であっても構わないし、柱ではなく壁体となっていてもよい。要するに、柱は、屋根２３と捕獲部２０との上下の間隔を確保することができ、蚊の入り口となる開口部が形成されていればよい。本実施形態に係る筐体２では、柱２２同士の間隔が、筐体の側面の開口部となっている。
【００３５】
（屋根）
屋根２３は、図１、図２に示すように、四角垂状の屋根であり、屋根本体２３ａと、この屋根本体２３ａに対して着脱自在に構成された頂部２３ｂなど、から構成されている。屋根本体２３ａの中央には、矩形の上部開口２３ｃが形成され、この上部開口２３ｃに、頂部２３ｂが係止爪２３ｄで係止されて着脱自在となっている。
【００３６】
勿論、屋根の形状は、四角垂状に限られず、雨などの降水を避けられる形状であれば特に限定されるものではない。但し、後述の炭酸ガス発生手段３による二酸化炭素の拡散の効率を考慮すると、空気より比重が重い二酸化炭素を一か所から均等に拡散させるには、中央に頂点を有する三角錐や四角垂状を初めとする多角垂状や円錐状の屋根であることが好ましい。
【００３７】
（ゴミ除けネット）
また、図１に示すように、本実施形態に係る筐体２の側面の開口部周りには、即ち、複数の柱２２の外側面には、枯葉などのゴミが筐体２内に入るのを防止するゴミ除けネットＮが張設されている（図２では省略）。このゴミ除けネットＮの網目の大きさは、蚊の侵入の妨げにならず、且つ、枯葉などの大きなゴミが筐体２内に入るのを防止することができる程度の大きさであればよい。屋外に蚊取り器１を設置した場合であっても、後述の粘着シート５０に枯葉などの大きなゴミが貼り付いて蚊を粘着シート５０で捕獲することができなくなることを防止するためである。
【００３８】
＜炭酸ガス発生手段＞
次に、炭酸ガス発生手段３について説明する。炭酸ガス発生手段３は、図１に示すように、載置台３０と、この載置台３０に載置された発生容器３１と、この発生容器３１に入れられた水と炭酸ガス発生錠剤３２など、から構成されている。
【００３９】
（載置台）
この載置台３０は、上面が開放された矩形箱状（直方体状）の載置台であり、前述の屋根２３の上部開口２３ｃの内側に嵌着されている。また、載置台３０の底面には、発生した二酸化炭素を通過させる通気孔３０ａが穿設されている。図示形態では、１つの通気孔３０ａが形成されているものを例示したが、複数の通気孔３０ａが形成されていてもよいことは云うまでもない。
【００４０】
（発生容器）
発生容器３１は、ガラス製や樹脂製等からなるコップなどの水やお湯などを収容可能な容器である。発生容器は、図示形態に限られず、液体を収容可能な容器であれば、素材や形状等も特に限定されるものではない。
【００４１】
（炭酸ガス発生錠剤）
炭酸ガス発生錠剤３２は、炭酸ナトリウムなどの炭酸塩を主な有効成分とする錠剤であり、水やお湯に溶かすことで、二酸化炭素（炭酸ガス）を発生させるものである。勿論、ドライアイスなどの他の炭酸ガス発生手段とすることも可能である。但し、取り扱い簡便さや安全性、ランニングコスト等を考慮すると炭酸ナトリウムを有効成分とする錠剤が好ましい。
【００４２】
なお、炭酸ガス発生手段としては、ガスボンベから二酸化炭素を発生させてもよい。要するに、本発明に係る炭酸ガス発生手段は、二酸化炭素（炭酸ガス）を発生させるものであればよい。但し、ガスボンベは重く、蚊取り器の持ち運びの容易性が損なわれるため、炭酸ガス発生錠剤３２やドライアイスなどの軽量な炭酸ガス発生手段が好ましい。
【００４３】
＜熱源＞
次に、熱源４について説明する。本実施形態に係る熱源４は、図１に示すように、潜熱蓄熱材からなる蓄熱マット４０から主に構成され、捕獲部本体２０ａに対して引き出し自在の前述の捕獲部２０の引出し部２０ｄに収容されている。このため、蓄熱マット４０は、筐体２に対して着脱自在に構成されている。
【００４４】
（蓄熱マット）
蓄熱マット４０は、潜熱蓄熱材をアルミラミネートやポリプロピレン等の樹脂からなる被覆材で被覆してマット状に成形した部材である。
【００４５】
（潜熱蓄熱材）
潜熱蓄熱材は、無機系水和物、パラフィン、脂肪酸、アルコール類、エステル化合物のうちの１種、又は２種以上を組み合わせた主材に、所望の相変化温度にするために融点調整剤などの添加剤を添加して調整されたものである。このため、蓄熱マット４０は、表面温度が人体や動物の皮膚温度より少し高い所定の温度帯（３０℃〜５５℃、好ましくは、３２℃〜５０℃）を長時間持続できるように調整されている。添加剤としては、融点調整剤の他、相分離防止剤、界面活性剤、酸化防止剤、過冷却防止剤等が適用可能である。
【００４６】
具体的には、無機系水和物としては、塩化カルシウム６水塩、炭酸ナトリウム１０水塩、硫酸ナトリウム１０水塩、リン酸水素ニナトリウム１２水塩、チオ硫酸ナトリウム５水塩、酢酸ナトリウム３水塩、臭化カルシウム６水塩、硝酸亜鉛６水塩、硝酸リチウム３水塩、などが挙げられる。
【００４７】
パラフィンとしては、ヘブタデカン、オクタデカン、エイコサン、ドコサン、テトラコサン、ヘキサデカン、トリコサン、ペンタコサン、ヘキタコサン、ノナデカン、ヘンイコサンなど、炭素原子の数が多い長鎖のアルカン（鎖式飽和炭化水素）が挙げられる。
【００４８】
脂肪酸としては、カブリン酸、ラウリン酸、ミリスチン酸、パルミチン酸、ステアリン酸などが挙げられる。
【００４９】
アルコール類としては、トリメチロールエタン、グリセリン、ドデカノール、セチルアルコール、ステアリルアルコール、分子量600以上のポリエチレングリコールなどが挙げられる。
【００５０】
エステル化合物としては、ステアリン酸エチル、ステアリン酸ブチルなどが挙げられる。
【００５１】
本実施形態に係る蓄熱マット４０によれば、潜熱蓄熱材として酢酸ナトリウムと水との比率を５：５とすることにより、蓄熱マット４０の表面温度の温度帯を、蚊の好む人体や動物の皮膚温度より少し高い３０℃〜５５℃、好ましくは３２℃〜５０℃とし、それを少なくとも２時間以上の長時間に亘り持続することができる。
【００５２】
また、このように蓄熱マット４０が所定温度を２時間以上の長時間に亘り持続できることにより、蚊取り器１を持ち運んで農作業など屋外や屋内での一定時間掛かる作業において使用した場合でも、蓄熱マット４０を交換することなく、且つ、効率良く蚊を駆除し続けることができる。
【００５３】
その上、本実施形態に係る蓄熱マット４０は、前述のように、所定温度とする必要のある後述の粘着シート５０側である上面以外の側面及び底面が断熱材Ｄで被覆されているので、その点でも長時間の所定温度維持が可能であり、蚊の駆除率の向上に資するものである。
【００５４】
以上説明した蓄熱マット４０の表面温度の好ましい温度帯は、公知文献や実験等から得られた見地を加味し、後述の粘着シート５０の表面温度が人体や動物の皮膚温度（２８℃〜４２℃）となるように、そこから逆算して設定したものである。
【００５５】
なお、熱源として所望の温度帯に設定し易い潜熱蓄熱材を例示して説明したが、本発明に係る熱源は、他の蓄熱材でも構わない。また、熱源として蓄熱材の代わりに、使い捨てカイロのような鉄の酸化作用を利用した発熱材など、自ら発熱する発熱材も用いることができる。さらに、持ち運びには不便であるが、本発明に係る熱源としては、電熱器具のようなバッテリーなどの電力で一定温度を維持できる装置を用いることもできる。
【００５６】
＜粘着手段＞
次に、粘着手段５について説明する。本実施形態に係る粘着手段５は、図１に示すように、表面（上面）に粘着層が形成され、裏面（下面）に不織布などの補強布が配設された粘着シート５０からなる。そして、この粘着シート５０は、捕獲部２０の上面プレート２０ｂ上の枠プレート２０ｆ内に設置されている。このように、粘着シート５０は、安価で交換容易であるため、蚊を粘着層の粘着力で捕獲してそのまま廃棄し、新しい粘着シート５０に交換することで、蚊の捕獲後の後処理が極めて容易である。
【００５７】
粘着層としては、ポリブテン、ポリイソブテン、スチレン−イソプレンブロック共重合体、アクリル樹脂等の樹脂からなる粘着層が挙げることができ、必要に応じて、紫外線防止剤、酸化防止剤、粘度調整剤等の周知の添加剤を加えてもよい。勿論、粘着層は、例示したものに限られず、粘着力で蚊を捕らえて再び飛行できない程度の粘着力があれば、特に素材等が限定されるものではない。
【００５８】
一般的に、蚊の飛行能力は弱く、飛行中に上昇しながら吸血対象に止まることが困難と考えられる。しかし、以上説明したように、本実施形態に係る粘着手段５は、日陰となる筐体２内の底部上面に粘着層が設けられている。即ち、本実施形態に係る粘着手段５は、日陰となり直射日光が差さず、風雨が避けられる筐体２内の水平面に粘着層が形成されていることにより、蚊が吸血対象と誤認した粘着手段５に羽ばたきを止め舞い降りるだけで止まれるため、蚊の捕獲率が格段に向上すると考えられる。
【００５９】
また、ヒトスジシマ蚊（やぶ蚊）は、黒などの暗い色の物に集る習性があると云われ、その点でも、日陰の平面に設置された粘着手段５により蚊を効率良く捕獲・駆除することができる。なお、アカイエ蚊などのイエ蚊は、赤外線を感知して、熱源によって来るため、イエ蚊も粘着手段５で効率良く駆除できる。
【００６０】
［蚊取り器の使用方法］
次に、図１、図２を用いて、本実施形態に係る蚊取り器１の使用方法について説明する。
先ず、蚊取り器１の熱源４である蓄熱マット４０を加熱する。この蓄熱マット４０は、前述のように、筐体２に対して着脱自在に構成されているので、簡単に取り外して、外部の加熱手段で加熱することができる。
【００６１】
具体的には、蓄熱マット４０を取り外して、鍋などの容器を用いて湯煎するなどして所望の温度（５５℃）以上に加熱する。勿論、蓄熱マット４０を他の加熱手段で加熱しても良いことは云うまでもない。
【００６２】
次に、加熱した蓄熱マット４０を捕獲部本体２０ａの引出し部２０ｄに収容する。このとき、筐体２には、指孔２０ｅが形成されているため、指孔２０ｅに指を掛けて引出し部２０ｄを引き出し又は捕獲部本体２０ａ内に蓄熱マット４０を収容することが容易である。
【００６３】
また、捕獲部２０の上面プレート２０ｂ上の枠プレート２０ｆ内に粘着シート５０をセットするとともに、屋根２３の頂部２３ｂを取り外し、炭酸ガス発生手段３の載置台３０上に、水を入れた発生容器３１を載置する。そして、発生容器３１内に炭酸ガス発生錠剤３２を入れて二酸化炭素を発生させる。この粘着シート５０のセットや二酸化炭素の発生は、蓄熱マット４０の加熱前であっても構わないのは勿論である。
【００６４】
次に、筐体２の側面開口にゴミ除けネットＮを張設する。これにより、蚊取り器１の設置が完了する。その後、蚊が二酸化炭素と熱に誘引され、羽ばたきを止めて下降するだけで止まれる粘着シート５０の粘着層に止まり、次々に捕獲される。
【００６５】
このように設置された蚊取り器１では、屋外作業が終了するなど、一定時間経過後、蚊が捕獲された粘着シート５０を丸めて廃棄すれば、蚊の捕獲及び除去が完了する。このため、蚊の捕獲後の後処理が極めて容易である。
【００６６】
また、粘着シート５０を半月状の窪み２０ｇを利用して剥がし、前述と同様に、新しいものに交換するとともに、炭酸ガス発生錠剤３２を投入又は追加し、蓄熱マット４０を前述と同様に再度加熱すれば、繰り返し、蚊の捕獲・除去が可能となる。このため、電源や大掛かりな装置が必要なく、人体や環境に悪影響を及ぼすことなく屋内外問わずどこにでも設置して使用することができる。
【００６７】
［蚊取り器の効果］
以上説明した本発明の実施形態に係る蚊取り器１によれば、蚊取り器１の装置全体がコンパクトな筐体２内に収容されているので、簡単に持ち運ぶことができる。また、二酸化炭素と熱で蚊を誘引するので、電源や大掛かりな装置が必要なく、人体や環境に悪影響を及ぼすことなく屋内外問わずどこにでも設置可能である。
【００６８】
蚊が獲物を捉えて吸血行動に移るプロセスは、炭酸ガスを感知して近づき、次に着地点（肌の吸血ポイント）として熱を認識していると考えられている（『蚊の科学』荒木  修著  2007年  日刊工業新聞社  参照）。また、蚊の頭部には、二酸化炭素を感じる「毛状感覚子」という感覚器があり、その感覚器で、数百メートル離れた先から人間や動物の吐き出す炭酸ガスを感知する能力がある。その上、人体や動物（哺乳類）の体温から発する熱を感知する能力は、１．２ｃｍの距離で１００分の１５℃の温度差を感じることができるとされている（『動物の第六感』モーリス・バートン著  1975年  文化放送開発センター出版部  参照）。これらの事実を勘案すると、蚊を誘引するための重要な要素は、二酸化炭素と熱であることがあきらかである。
【００６９】
本実施形態に係る蚊取り器１によれば、蚊を炭酸ガス発生手段３で発生させる二酸化炭素と熱源４の熱とで誘引するため、蚊を誘引する効果が極めて高いものとなっている。また、熱源４の直上に蚊を捕らえる粘着手段５が設けられているので、熱伝達に損失が少なく極めて熱効率が良い。その上、蚊取り器１によれば、電源などの大掛かりな装置がなくても長時間に亘り使用することができる。
【００７０】
一般的に、蚊の飛行能力は弱く、飛行中に上昇しながら吸血対象に止まることが困難と考えられている。このため、蚊取り器１の粘着手段５のように、日陰となり直射日光が差さず、風雨が避けられる筐体２内の水平面に粘着層が形成されていることにより、蚊が粘着手段５に舞い降りるのが容易となり、蚊を効率良く捕らえることができ駆除率が高くなる。
【００７１】
また、蚊取り器１の熱源４である蓄熱マット４０は、筐体２に対して着脱自在に構成されているので、電源などが必要なく屋内外問わずどこにでも設置することができるとともに、加熱するだけで繰り返し使用することができ、ランニングコストも少なくて済む。
【００７２】
さらに、この蓄熱マット４０は、表面温度が３０℃以上５５℃以下の温度範囲を２時間以上維持可能に調整された潜熱蓄熱材であり、且つ、断熱材Ｄで粘着シート５０を除く面が覆われているので、長時間に亘り効率良く蚊を駆除することができる。
【００７３】
その上、蚊取り器１によれば、粘着手段５が熱源４に対して着脱可能に構成された粘着シート５０となっているので、蚊を捕獲した後の処理が、粘着シート５０ごと廃棄して粘着シートを新しいものと交換するだけである。このため、蚊取り器１によれば、後処理が極めて簡単であり、安価であるため、ランニングコストも少なくて済む。それに加え、半月状の窪み２０ｇなどがあり、粘着シート５０の交換も極めて容易である。
【００７４】
以上、本実施形態に係る蚊取り器について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【符号の説明】
【００７５】
１                      ：蚊取り器
２                      ：筐体
２０                    ：捕獲部
２０ａ                  ：捕獲部本体
２０ｂ                  ：上面プレート
２０ｃ                  ：開口部
２０ｄ                  ：引出し部
２０ｅ                  ：指孔
２０ｆ                  ：枠プレート
２０ｇ                  ：半月状の窪み
２１                    ：脚
２１ａ                  ：脚本体
２１ｂ                  ：キャップ
２２                    ：柱
２２ａ                  ：柱本体
２２ｂ                  ：接続部
２３                    ：屋根
２３ａ                  ：屋根本体
２３ｂ                  ：頂部
２３ｃ                  ：上部開口
２３ｄ                  ：係止爪
３                      ：炭酸ガス発生手段
３０                    ：載置台
３０ａ                  ：通気孔
３１                    ：発生容器
３２                    ：炭酸ガス発生錠剤
４                      ：熱源
４０                    ：蓄熱マット
５                      ：粘着手段
５０                    ：粘着シート
Ｄ                      ：断熱材
Ｎ                      ：ゴミ除けネット
【図１】
2018038314.tif 000003
【図２】
2018038314.tif 000004